【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
立体映像をなす一対の画像入力データを入力し、前記一対の画像入力データを複数の領域に分け、前記各領域に対応した視差量をひとつずつ順番に算出して前記各領域に対応した視差データとして出力する視差算出部と、
複数の前記視差データを基にフレーム視差データを生成して出力するフレーム視差算出部と、
１つのフレームのフレーム視差データを他のフレームのフレーム視差データに基づいて補正し補正後フレーム視差データとして出力するフレーム視差補正部と、
鑑賞の状況を示す情報を基に作成される視差調整情報および前記補正後フレーム視差データに基づいて視差調整データを生成して出力する視差調整量算出部と、
前記視差調整データに基づいて視差量を調整した一対の画像出力データを生成して出力する調整画像生成部とを備える画像処理装置。
【請求項２】
前記フレーム視差データは、前記視差データの中の飛び出し方向の視差データを基に生成される請求項１記載の画像処理装置。
【請求項３】
前記フレーム視差データは、前記視差データの内最大の値の前記視差データである請求項２に記載の画像処理装置。
【請求項４】
前記視差調整データは、前記視差調整情報に基づいて定められる閾値および前記視差調整情報に基づいて定められる係数を基に補正後フレーム視差データを補正して生成される請求項１から３のいずれか１項に記載の画像処理装置。
【請求項５】
前記視差調整データは、補正後フレーム視差データが前記閾値を基準として大きい場合は前記補正後フレーム視差データと前記閾値との差に前記係数を乗じた値とし、補正後フレーム視差データが前記閾値を基準として小さい場合は値をゼロの値とする請求項４に記載の画像処理装置。
【請求項６】
前記補正後フレーム視差データは、１つのフレームのフレーム視差データに前記１つのフレームの前後のフレーム視差データを含めた平均値である請求項１から５のいずれか１項に記載の画像処理装置。
【請求項７】
前記フレーム視差データは、第１のフレーム視差データおよび第２のフレーム視差データを有し、前記第１のフレーム視差データは前記視差データの中で飛び出し方向の視差データを基に生成され、前記第２のフレーム視差データは前記視差データの中で引っ込み方向の視差データを基に生成される請求項１に記載の画像処理装置。
【請求項８】
前記フレーム視差補正部は、１つのフレームの前記第１のフレーム視差データを他のフレームの前記第１のフレーム視差データに基づいて補正して第１の補正後フレーム視差データとして出力し、１つのフレームの前記第２のフレーム視差データを他のフレームの前記第２のフレーム視差データに基づいて補正して第２の補正後フレーム視差データとして出力する請求項７に記載の画像処理装置。
【請求項９】
前記フレーム視差補正部は、１つのフレームの第１のフレーム視差データに前記１つのフレームの前後の第１のフレーム視差データを含めた平均値を第１の補正後フレーム視差データとして出力し、１つのフレームの第２のフレーム視差データに前記１つのフレームの前後の第２のフレーム視差データを含めた平均値を第２の補正後フレーム視差データとして出力する請求項８に記載の画像処理装置。
【請求項１０】
前記視差調整データは、前記視差調整情報に基づいて定められる閾値および前記視差調整情報に基づいて定められる係数を基に補正後フレーム視差データを補正して生成される請求項７から９のいずれか１項に記載の画像処理装置。
【請求項１１】
前記閾値は第１の閾値を有し、前記視差調整量算出部は、前記第１の補正後フレーム視差データが前記第１の閾値より大きい場合に、前記視差調整データとして第１の補正後フレーム視差データに前記係数を乗じた値を出力する請求項１０に記載の画像処理装置。
【請求項１２】
前記閾値は第２の閾値をさらに有し、前記視差調整量算出部は、前記第１の補正後フレーム視差データが前記第１の閾値より大きく、かつ、前記第１の補正後フレーム視差データに前記係数を乗じた値を前記第２の補正後フレーム視差データから減じた値が前記第２の閾値より小さい場合に、前記視差調整データとして第１の補正後フレーム視差データに前記係数を乗じた値より小さい値を出力する請求項１１に記載の画像処理装置。
【請求項１３】
前記視差調整量算出部は、前記第２の補正後フレーム視差データが前記第２の閾値より小さい場合に、前記視差調整データとしてゼロの値を出力する請求項１２に記載の画像処理装置。
【請求項１４】
前記一対の画像入力データを入力し、前記一対の画像入力データを縮小して一対の縮小画像データを出力する画像縮小部と、
前記フレーム視差データを拡大して拡大フレーム視差データとして前記フレーム視差補正部に出力するフレーム視差拡大部とをさらに有し、
前記視差算出部は前記一対の縮小画像データを複数の領域に分け、前記各領域に対応した視差量を算出して前記各領域に対応した視差データとして出力する請求項１から１３のいずれか１項に記載の画像処理装置。
【請求項１５】
前記調整画像生成部は、前記一対の画像入力データの各画像入力データを視差調整データの２分の１の量ずつ視差量を減ずる方向に移動した一対の画像出力データを生成する請求項１から１４のいずれか１項に記載の画像処理装置。
【請求項１６】
請求項１から１５のいずれか１項に記載の画像処理装置にさらに表示部を備え、前記表示部は前記調整画像生成部で生成された一対の画像出力データを表示する画像表示装置。
【請求項１７】
立体映像をなす一対の画像入力データを入力し、前記一対の画像入力データを複数の領域に分け、前記各領域に対応した視差量を算出して前記各領域に対応した視差データとして出力する視差算出ステップと、
前記視差データを基にフレーム視差データを生成して出力するフレーム視差算出ステップと、
１つのフレームのフレーム視差データを他のフレームのフレーム視差データ に基づいて補正し補正後フレーム視差データを生成して出力するフレーム視差補正ステップと、
鑑賞の状況を示す情報を基に作成される視差調整情報および前記補正後フレーム視差データに基づいて視差調整データを生成して出力する視差調整量算出ステップと、
前記視差調整データに基づいて視差量を調整した一対の画像出力データを生成して出力する調整画像生成ステップとを備える画像処理方法。
【請求項１８】
前記フレーム視差データは、第１のフレーム視差データおよび第２のフレーム視差データを有し、前記第１のフレーム視差データは前記視差データの中で飛び出し方向の視差データを基に生成され、前記第２のフレーム視差データは前記視差データの中で引っ込み方向の視差データを基に生成される請求項１７に記載の画像処理方法。
【請求項１９】
前記一対の画像入力データを入力し、前記一対の画像入力データを縮小して一対の縮小画像データを出力するステップと、
前記フレーム視差データを拡大して拡大フレーム視差データとして前記フレーム視差補正部に出力するステップとをさらに有し、
前記視差算出ステップは前記一対の縮小画像データを複数の領域に分け、前記各領域に対応した視差量を算出して前記各領域に対応した視差データとして出力する請求項１７または１８のいずれか１項に記載の画像処理方法。
【手続補正２】
【補正対象書類名】明細書
【補正対象項目名】０００９
【補正方法】変更
【補正の内容】
【０００９】
本発明に係わる画像処理装置は、立体映像をなす一対の画像入力データを入力し、前記一対の画像入力データを複数の領域に分け、前記各領域に対応した視差量をひとつずつ順番に算出して前記各領域に対応した視差データとして出力する視差算出部と、複数の前記視差データを基にフレーム視差データを生成して出力するフレーム視差算出部と、１つのフレームのフレーム視差データを他のフレームのフレーム視差データに基づいて補正し補正後フレーム視差データとして出力するフレーム視差補正部と、鑑賞の状況を示す情報を基に作成される視差調整情報および前記補正後フレーム視差データに基づいて視差調整データを生成して出力する視差調整量算出部と、前記視差調整データに基づいて視差量を調整した一対の画像出力データを生成して出力する調整画像生成部とを備える。